(57)【要約】【課題】製品収納量に対して使用時の設置スペースが著しく小さくて済むような衛生繊維集合体の包装容器および製品を提供する。【解決手段】実質的に同寸法の直方体状もしくは立方体状をなす第一及び第二の容器部１０，１０を有し、これら第一及び第二の容器部１０，１０は同寸法の面ＵＦにおいて実質的にずれの無いように向かい合わされ且つ相互に接触されており、この接触面ＵＦの四辺のうち三辺が位置する部分において第一の容器部１０と第二の容器部１０とが繋がっており、この繋がり位置Ｌに容器部１０，１０相互を分離するためのミシン目２が設けられているものとする。【選択図】図１
2005162256.tif 000002
【特許請求の範囲】
【請求項１】
一体に形成された複数の容器部からなり、各容器部は独立した一つの包装容器として分離可能なように構成されている、ことを特徴とする衛生繊維集合体の包装容器。
【請求項２】
前記各容器部の一面が他の容器部の一面に対して接触されており、この各容器部の他の容器部に対する接触面に取出口がそれぞれ開口されている、請求項１記載の衛生繊維集合体の包装容器。
【請求項３】
分離する位置に沿ってミシン目が形成されている、請求項１または２記載の衛生繊維集合体の包装容器。
【請求項４】
実質的に同寸法の直方体状もしくは立方体状をなす第一の容器部及び第二の容器部を有し、これら第一の容器部および第二の容器部は同寸法の面において実質的にずれの無いように向かい合わされ且つ相互に接触されており、この接触面の四辺のうち少なくとも２辺が位置する部分において第一の容器部と第二の容器部とが分離可能なように繋がっている、請求項１〜３のいずれか１項に記載の衛生繊維集合体の包装容器。
【請求項５】
化粧用コットンを請求項１〜４のいずれか１項に記載の包装容器に収納してなることを特徴とする衛生繊維集合体製品。
【発明の詳細な説明】
【技術分野】
【０００１】
本発明は、衛生用コットンやティッシュペーパー等の衛生繊維集合体を収納する包装容器および包装容器に衛生繊維集合体を収納してなる衛生繊維集合体製品に関するものである。
【背景技術】
【０００２】
化粧用、医療用等のコットン（カットコットン、コットンパフ、またはパフともいわれる）は、一般に、嵩高である程度の厚みを有する層状体をなし、直方体状の紙箱に多数収納されて市販されている。使用に際しては、前面から上面にわたり形成されたミシン目に沿って、前面の幅方向中央の上部から上面の幅方向中央部にわたる部分を切り離し、内部に収納されたコットンを取り出す仕組みとなっている。また、前面から底面にわたる部分を切り離すタイプのものも提案されている（特許文献１参照）。
【０００３】
しかしながら、従来の製品はサイズが大きく、一製品の収納量に対して使用時の設置スペースを広く取るという問題点があった。また、従来の製品は取出口を遮るものが無く、それ自体は取り出しに際して煩わしさはないが、開封後にゴミ、埃等の異物進入を防止できず、不衛生になるおそれがあった。
【特許文献１】特開平６−９９９７０号公報
【発明の開示】
【発明が解決しようとする課題】
【０００４】
そこで本発明の主たる課題は、製品収納量に対して使用時の設置スペースが著しく小さくて済むような衛生繊維集合体の包装容器および製品を提供することにある。また他の課題は、円滑・容易な取り出しを可能としながらも異物進入を防止することにある。
【課題を解決するための手段】
【０００５】
上記課題を解決した本発明は、次記のとおりである。
（請求項１記載の発明）
一体に形成された複数の容器部からなり、各容器部は独立した一つの包装容器として分離可能なように構成されている、ことを特徴とする衛生繊維集合体の包装容器。
【０００６】
（作用効果）
本発明では、一製品の収納量を従来と同レベルにしたとしても、使用に際して容器部を分離して設置し、容器部毎に独立して使用できるため、設置スペースを半分以下にすることができる。なお、「分離可能」とはミシン目が施される等の分離を容易にすることに限られず、分離を前提とした構成全般を意味し、従って例えば何らの加工も施されていないが破く、鋏で切断する等により分離するような形態も含む。
【０００７】
（請求項２記載の発明）
前記各容器部の一面が他の容器部の一面に対して接触されており、この各容器部の他の容器部に対する接触面に取出口がそれぞれ開口されている、請求項１記載の衛生繊維集合体の包装容器。
【０００８】
（作用効果）
本項記載の発明では、各容器部の取出口が他の容器部との接触面に設けられているため、使用前には各取出口が他の容器部により塞がれる。よって、別の部材を用いずに使用前における異物進入を効果的に防止できるようになる。
【０００９】
（請求項３記載の発明）
分離する位置に沿ってミシン目が形成されている、請求項１または２記載の衛生繊維集合体の包装容器。
【００１０】
（作用効果）
本項記載のように、分離する位置に沿ってミシン目が形成されていると、容器部相互の分離が非常に容易になる。
【００１１】
（請求項４記載の発明）
実質的に同寸法の直方体状もしくは立方体状をなす第一の容器部及び第二の容器部を有し、これら第一の容器部および第二の容器部は同寸法の面において実質的にずれの無いように向かい合わされ且つ相互に接触されており、この接触面の四辺のうち少なくとも２辺が位置する部分において第一の容器部と第二の容器部とが分離可能なように繋がっている、請求項１〜３のいずれか１項に記載の衛生繊維集合体の包装容器。
【００１２】
（作用効果）
本発明は、本項記載のような具体的形態を採用すると、容器部相互が機能的にも外観的にも一体性が高くなり、また製造も非常に容易になる。
【００１３】
（請求項５記載の発明）
粧用コットンを請求項１〜４のいずれか１項に記載の包装容器に収納してなることを特徴とする衛生繊維集合体製品。
【００１４】
（作用効果）
本発明は、化粧用コットンの収納用途に特に適している。
【発明の効果】
【００１５】
以上のとおり本発明によれば、一製品の収納量に対して使用時の設置スペースが著しく小さくて済む、円滑・容易な取り出しが可能でありながら異物進入が防止される、等の利点がもたらされる。
【発明を実施するための最良の形態】
【００１６】
以下、本発明の実施形態について添付図面を参照しつつ詳説する。
図１は、本発明に係る化粧用コットンの包装容器の一例１を示したものであり、一体に形成された複数の容器部１０，１０からなり、各容器部１０は独立した一つの包装容器として分離可能なように構成されているものである。
【００１７】
より詳細には、図示例の包装容器１は、実質的に同寸法の直方体状もしくは立方体状をなす第一及び第二の容器部１０，１０を有するものである。もちろん、本発明では、各容器部１０，１０は多角錐状、円錐状、多角柱状、円柱状、球状、その他の多面体状等、適宜の立体形状を採用することができる。また、容器部１０の数は利用者のニーズやユーザビリティ等を勘案して適宜設定すれば良い。さらに、包装容器１の材質は特に限定されるものではなく、紙、樹脂フィルム（化粧用コットンを樹脂フィルムで直に包装する場合等）、木、金属等適宜の材料により形成することができる。
【００１８】
そして、図示例では、これら第一および第二の容器部１０，１０は同寸法の面ＵＦ（取出口１２を上にして配置する通常の使用状態における上面。以下、上下左右前後の方向はこの通常使用状態の方向である）において実質的にずれの無いように向かい合わされ且つ相互に接触されており、この接触面ＵＦの四辺のうち三辺（すなわち前面ＦＦ、上面ＵＦおよび後面ＢＦの一辺）が位置する部分において第一及び第二の容器部１０，１０が分離可能なように繋がっている。このように容器部１０，１０相互が一本の直線部分のみで繋がっていると、各容器部１０はその直線部分を中心として回動してしまうが（図２の状態と同じである）、本例のように、接触面ＵＦの四辺のうち少なくとも二辺が繋がっていると、このような回動が不可能となり、より一体性が高くなるため好ましい。
【００１９】
かかる包装容器１は、例えば図４からも判るように、各容器部１０，１０の展開図を容器部相互を繋ぐ位置Ｌに関して対称に設計することにより、一枚の素材シートを折り曲げるだけで一体をなす二つの紙箱として形成することができる。より詳細には、各容器部１０は、取出し口を有する上面ＵＦの一端に連続して左側面ＬＦ、底面ＳＦおよび右側面ＲＦが形成され、上面ＵＦの他端に接着代１１が設けられ、この接着代１１は右側面ＲＦまたは左側面ＬＦの一端部に連続され、またこの右側面ＲＦまたは左側面ＬＦの一端部の縁において容器部相互が連続され、また前面ＦＦおよび背面ＢＦは蓋部として右側面ＲＦまたは左側面ＬＦに対してそれぞれ連続形成されている。したがって、必要に応じて後述するミシン目２を繋がり位置Ｌに沿って形成した後、上面ＵＦの接着代１１を右側面ＲＦまたは左側面ＬＦの繋がり位置Ｌ側の端部に接着し、上面ＵＦ、左側面ＬＦ、底面ＳＦおよび右側面ＲＦからなる筒状部を形成した後、その前後開口に前面ＦＦおよび後面ＢＦを折り曲げて蓋することにより上記包装容器１が形成される。
【００２０】
また、本発明では、図示例のように各容器部１０，１０を一体の容器１として形成することに限られるものではなく、各容器部１０，１０を個別に製造した後に連結もしくは接続しても良い。
【００２１】
さらに図示例の容器１では、鋏等を用いずにしかも容易に分離できるように、分離位置（繋がり部位）Ｌに沿ってミシン目加工２を施している。しかし、本発明では、これ以外の分離を容易にするための加工を採用することもでき、例えば何も加工を施さずに、破く、鋏等で切断する、もしくはこれらにより分離可能であることを示す旨の表記や分離位置を示す線等を付することもできる。また、各容器部を個別に製造した後に連結もしくは接続する場合には、容器部相互を接着テープで連結する若しくは剥離可能に接着することもできる。
【００２２】
また、図示例の包装容器１では、各容器部１０，１０の相互接触面ＵＦ，ＵＦに取出口１２が形成されている。このように、各容器部１０の一面ＵＦが他の容器部１０の一面ＵＦに対して接触されており、この各容器部１０の接触面ＵＦに取出口１２がそれぞれ開口されていると、使用前においては各取出口１２が他の容器部１０により塞がれるため、特別の部材を用いずに使用前における異物進入を効果的に防止できるようになる。
【００２３】
使用に際しては図２及び図３に示すように、ミシン目２に沿って第一の容器部１０と第二の容器部１０とを分離するだけである。符号Ｃは容器部内に収納されたコットンを示している。分離した容器部１０，１０は、いずれか一方を使用分として化粧台等に設置し、他方を予備として保管したり、両方を別の場所に設置したり、両方を同じ場所の離れた位置に設置したりすることができ、いずれにせよ各容器部１０の設置スペースは従来の半分で済むようになる。なお、本明細書中では取出口１２が上面となる配置を通常の使用状態として説明しているが、これは使用者において適宜変更することができるものであり、例えば取出口１２を前面として使用することもできるのはいうまでもない。
【００２４】
また、かくして容器部１０，１０を分離した後、取出口１２が塞がれていないと異物侵入を防止できない。また、取出口１２からの繊維集合体Ｃの取り出しに際し、特に衛生用コットンの場合、嵩が高いため取出口に引っ掛かり易く、その際に繊維間の結合が弱いため層分離してしまうおそれが高い。よって、図５に示すように、取出しスリット３１を有するシート材３０を各容器部１０，１０内面に貼り付けて取出口１２を塞ぐのが好ましい。このシート材３０は、取出口１２よりも柔らかく且つ滑らかな材料、例えば樹脂製のフィルムや表面の平滑な薄紙等により形成することができ、特に背後のコットンＣが外部から見えるように透明もしくは半透明の材料により形成するのが好ましい。この場合、使用を開始した後の異物進入を効果的に防止できる。さらに、取り出し時には、コットンＣが取出口１２に接触せず、より滑らかで柔軟なスリット３１間から滑り出されることになるため、円滑・確実な取り出しが可能となる。
【００２５】
シート材３０におけるスリット３１の形態は特に限定されるものではないが、図５に示すように取出口１２一つあたり一本のスリットを設けるのが好ましい。この場合、スリット３１は、取出口１２の幅方向中央に沿ってかつ長手方向の全体わたり設けるのが好ましい。
【００２６】
他方、容器１内へのコットンＣ等の繊維集合体の収納形態としては、従来例と同様に、矩形状等にカットした層状体を上下方向および横方向に重ねて容器内に収納することもできるが、この場合、下側の繊維集合体に対して上側の繊維集合体の重さが加わるため、長期保管により下側の繊維集合体のふんわり感が減ってしまう。よって、図６にも示すように、繊維状集合体Ｃを収納するにあたっては上下に重ねず、横並びで配列するのが好ましい。
【００２７】
また、繊維集合体Ｃを折り畳み、その山折端部Ｃ１を取出口１２側に配置して（すなわち、繊維集合体Ｃは取出口１２を有する面と交差する方向に沿って縦向きに配置され、かつこれが取出口１２の延在方向に沿って複数配置される）包装容器１内に収納するのは特に好ましい形態である。この場合、複数平行に配列された山折端部Ｃ１が取出口１２に露出するため、使用者は取出口１２に露出する山折端部Ｃ１により繊維集合体Ｃの境界を一目瞭然で判別できるとともに、山折端部Ｃ１は摘み易いため繊維集合体Ｃを一単位ごと確実に取り出すことができるようになる。またこの場合、折り数は特に限定されない。一単位の繊維集合体Ｃにおける山折端部Ｃ１が複数になっても、その旨を使用者が理解していれば使用上の問題はない。しかし、外観と実際の繊維集合体Ｃの数とは一対一で対応しているほうが好ましいため、図示のように二つ折りが特に好ましく、折り数を増やすとしても三つ折りまでとするのが好ましい。また、前述のシート材３０を設ける場合、図示例のように、繊維集合体Ｃの山折端部Ｃ１とスリット３１とが交差する、特に直交するように繊維集合体Ｃを配列すると、繊維集合体Ｃを取り出すとき、その山折端部Ｃ１の両側がスリットを押し広げるように作用し、取り出しがスムーズになるため好ましい。
【産業上の利用可能性】
【００２８】
本発明は、化粧用コットン、医療用コットン等の衛生用コットン、ティッシュペーパー、ペーパータオル、クッキングペーパー等、各種の繊維集合体製品に対して適用できるものである。
【図面の簡単な説明】
【００２９】
【図１】本発明に係る衛生繊維集合体製品の斜視図である。
【図２】本発明に係る衛生繊維集合体製品の分離途中の状態を示した斜視図である。
【図３】本発明に係る衛生繊維集合体製品の分離後の状態を示した斜視図である。
【図４】本発明に係る衛生繊維集合体の包装容器の展開状態を示す図である。
【図５】容器内面の取出口側部分を示す図である。
【図６】繊維集合体の好ましい収納形態を示す平面図である。
【符号の説明】
【００３０】
１…包装容器、２…ミシン目、１０…容器部。
【図１】
2005162256.tif 000003
【図２】
2005162256.tif 000004
【図３】
2005162256.tif 000005
【図４】
2005162256.tif 000006
【図５】
2005162256.tif 000007
【図６】
2005162256.tif 000008